(57)【要約】【課題】照度以外の画質変化要因に適した画質調整を行うことができる画像表示装置の提供。【解決手段】ネットワークに接続可能な画像表示装置であって、予め、気象データと画像調整値とを対応付けて補正テーブルとして記憶する記憶部２４４と；ネットワークを介して接続可能な映像処理装置から映像データを取得する映像取得部２１０と；前記画像表示装置の位置情報を取得する位置情報取得部２２０と；ネットワークを介して接続可能な気象データサーバーから、前記位置情報に対応付けられた気象データを取得する気象データ取得部２３０と；取得した前記位置情報に対応付けられた気象データと前記記憶部で記憶された補正テーブルとを参照して、必要な画像調整値を割り当てる画質調整部２４０と；取得した前記映像データを、前記画像調整値を用いて補正して表示映像を生成する表示処理部２５０と；補正された前記表示映像をスクリーンに投影する投影部と；を有し、前記表示処理部は、色温度を補正する。【選択図】図４
2018157444.tif 000002
【特許請求の範囲】
【請求項１】
ネットワークに接続可能な画像表示装置であって、
予め、気象データと画像調整値とを対応付けて補正テーブルとして記憶する記憶部と、
前記ネットワークを介して接続可能な映像処理装置から、映像データを取得する映像取得部と、
前記画像表示装置の位置情報を取得する位置情報取得部と、
前記ネットワークを介して接続可能な気象データサーバーから、前記位置情報に対応付けられた気象データを取得する気象データ取得部と、
取得した前記位置情報に対応付けられた気象データと、前記記憶部で記憶された補正テーブルとを参照して、必要な画像調整値を割り当てる画質調整部と、
取得した前記映像データを、前記画像調整値を用いて補正して表示映像を生成する表示処理部と、
補正された前記表示映像をスクリーンに投影する投影部と、を有し、
前記表示処理部は、色温度を補正する
ことを特徴とする画像表示装置。
【請求項２】
取得した前記位置情報が示す位置での、時刻を取得する時計デバイスを備え、
前記気象データは、日照時刻情報であり、
前記補正テーブルでは、日の出と日の入りの時刻に応じた、時間帯ごとに異なる画像調整値が記憶されており、
前記画質調整部は、取得した前記位置情報に対応付けられた前記日照時刻情報と、前記記憶部で記憶された補正テーブルとを参照して、時間帯ごとに必要な画像調整値を割り当て、前記時計デバイスにより取得した現在の時刻が含まれる前記時間帯の前記画像調整値を選択して、前記表示処理部に出力する
ことを特徴とする請求項１に記載の画像表示装置。
【請求項３】
前記気象データは天気情報であり、
前記補正テーブルでは、天気に応じた画像調整値が記憶されており、
前記画質調整部は、取得した前記位置情報に対応付けられた前記天気情報と、前記記憶部で記憶された補正テーブルとを参照して、必要な画像調整値を割り当て、前記表示処理部に出力する
ことを特徴とする請求項１に記載の画像表示装置。
【請求項４】
取得した前記位置情報が示す位置での、時刻を取得する時計デバイスを備え、
前記気象データは、日照時刻情報及び天気情報であり、
前記補正テーブルでは、日の出と日の入りの時刻と、天気に応じた、時間帯ごとに異なる画像調整値が記憶されており、
前記画質調整部は、取得した前記位置情報に対応付けられた前記日照時刻情報及び前記天気情報と、前記記憶部で記憶された補正テーブルとを参照して、時間帯ごとに必要な画像調整値を割り当て、前記時計デバイスにより取得した現在の時刻が含まれる前記時間帯の前記画像調整値を選択して、前記表示処理部に出力する
ことを特徴とする請求項１に記載の画像表示装置。
【請求項５】
前記投影部は光源を含み、
前記投影部は、前記画像調整値を基に照度を補正するように前記光源の光量を調整する
ことを特徴とする請求項１乃至４のいずれか一項に記載の画像表示装置。
【請求項６】
前記画像表示装置の周囲の状況を撮影する、撮影手段を備え、
前記撮影手段が撮影画像から前記画像表示装置が設置された周囲の状況を把握する状況判断部を備え、
前記状況判断部が、前記画像表示装置の載置場所が屋外である場合又は屋内であって周囲に窓が存在する場合は、前記位置情報取得部に前記位置情報を取得させて、前記気象データ取得部に前記位置情報に対応付けられた気象データを取得させ、
前記状況判断部が、前記画像表示装置の載置場所が屋内であって周囲に窓が存在しない場合は、前記位置情報取得部に前記位置情報を取得させず、前記気象データ取得部に前記気象データを取得させない
ことを特徴とする請求項１乃至５のいずれか一項に記載の画像表示装置。
【請求項７】
前記位置情報取得部は通信部であって、前記ネットワークを介して周辺のWi-Fiアクセスポイントから電波を受信し、位置データベースサーバーに接続することで、前記画像表示装置の前記位置情報を取得する
ことを特徴とする請求項１乃至６のいずれか一項に記載の画像表示装置。
【請求項８】
前記位置情報取得部はGPS受信部であって、該GPS受信部がGPS衛星からの電波を受信することで、前記画像表示装置の前記位置情報を取得する
ことを特徴とする請求項１乃至６のいずれか一項に記載の画像表示装置。
【請求項９】
前記画像表示装置に設けられた操作部、又は前記画像表示装置に送信可能なリモコンに対して、使用者が位置情報を操作入力することで、前記位置情報取得部は前記画像表示装置の前記位置情報を取得する
ことを特徴とする請求項１乃至６のいずれか一項に記載の画像表示装置。
【請求項１０】
記憶部に、予め、気象データと画像調整値とを対応付けて補正テーブルとして記憶させておく記憶ステップと、
ネットワークを介して接続可能な映像処理装置から、映像データを取得するステップと、
位置情報を取得するステップと、
前記ネットワークを介して接続可能な気象データサーバーから、前記位置情報に対応付けられた気象データを取得するステップと、
前記取得した位置情報に対応付けられた気象データと、前記記憶部で記憶された補正テーブルとを参照して、現時点で必要な画像調整補正値を割り当てるステップと、
取得した前記映像データを、割り当てられた前記画像調整補正値を用いて補正して表示画像を補正する表示処理ステップと、
補正された表示画像を投影する投影ステップと、を有し、
前記表示処理ステップでは、色温度を補正する
ことを特徴とする画像表示装置の画像調整方法。
【請求項１１】
画像を調整する機能を、画像表示装置に実現させるためのプログラムであって、
記憶部に、予め、気象データと画像調整値とを対応付けて補正テーブルとして記憶させておく記憶機能と、
ネットワークを介して接続可能な映像処理装置から、映像データを取得する機能と、
位置情報を取得する機能と、
前記ネットワークを介して接続可能な気象データサーバーから、前記位置情報に対応付けられた気象データを取得する機能と、
前記取得した位置情報に対応付けられた気象データと、前記記憶部で記憶された補正テーブルとを参照して、現時点で必要な画像調整補正値を割り当てる機能と、
取得した前記映像データを、前記画像調整補正値を用いて補正して表示画像を補正する表示処理機能と、
補正された表示画像を投影する投影機能と、を有し、
前記表示処理機能では、色温度を補正する
ことを特徴とする画像調整プログラム。
【発明の詳細な説明】
【技術分野】
【０００１】
本発明は、ネットワークを介して気象データを取得可能な画像表示装置、画像表示装置の画像調整方法、及び画像調整プログラムに関する。
【背景技術】
【０００２】
画像をスクリーンなどに投影することにより表示するプロジェクタ（画像表示装置）が広く用いられており、メニュー等から明るさ、コントラスト、及び色合い等のパラメータを変更することで、画質の調整ができることが既に知られている。
【０００３】
また、照度センサー等を用いてプロジェクタの周囲の環境光を測定することにより、プロジェクタで出力する輝度レベルを変更する技術が知られている。例えば、特許文献１では、周囲の照度を検出する照度センサーと、時計とを備えるプロジェクタにおいて、検出した照度と時計の時間情報を用いて、屋外の昼と夜のように周囲の明るさが大きく変化する時間に合わせて投写画像の輝度を制御することで、表示画像の視認性を向上させることが提案されている。
【発明の概要】
【発明が解決しようとする課題】
【０００４】
しかし、上記特許文献１のような照度センサーを用いた画質調整では、照度の明るさ/暗さのみを基準にして画質調整を行っていたため、例えば夕焼けの赤みがかった環境光など、周囲の色温度が変化するときに対応した画質調整を行うことができなかった。
【０００５】
そこで、本発明は、上記事情に鑑み、照度以外の画質変化要因に適した画質調整を行うことができる画像表示装置の提供を目的とする。
【課題を解決するための手段】
【０００６】
上記課題を解決するため、本発明の一態様では、ネットワークに接続可能な画像表示装置であって、
予め、気象データと画像調整値とを対応付けて補正テーブルとして記憶する記憶部と、
前記ネットワークを介して接続可能な映像処理装置から、映像データを取得する映像取得部と、
前記画像表示装置の位置情報を取得する位置情報取得部と、
前記ネットワークを介して接続可能な気象データサーバーから、前記位置情報に対応付けられた気象データを取得する気象データ取得部と、
取得した前記位置情報に対応付けられた気象データと、前記記憶部で記憶された補正テーブルとを参照して、必要な画像調整値を割り当てる画質調整部と、
取得した前記映像データを、前記画像調整値を用いて補正して表示映像を生成する表示処理部と、
補正された前記表示映像をスクリーンに投影する投影部と、を有し、
前記表示処理部は、色温度を補正する、
ことを特徴とする画像表示装置を提供する。
【発明の効果】
【０００７】
一態様によれば、画像表示装置において、照度以外の画質変化要因に適した画質調整を行うことができる。
【図面の簡単な説明】
【０００８】
【図１】本発明の実施形態に係るプロジェクタと接続可能なネットワークシステム構成の一例である。
【図２】第１実施形態に係る画像表示装置の一例の構成図である。
【図３】第１実施形態に係る画像表示装置の画像調整設定に係る部分の機能ブロック図である。
【図４】第１実施形態に係る画質調整設定のフローチャートである。
【図５】一般的な各気象条件における色温度の例示する色温度分布チャートである。
【図６】第２実施形態に係る画像表示装置の一例の構成図である。
【図７】第２実施形態に係る画像表示装置の画像調整設定に係る部分の機能ブロック図である。
【図８】第２実施形態に係る画質調整設定のフローチャートである。
【図９】第３実施形態に係る画像表示装置の一例の構成図である。
【発明を実施するための形態】
【０００９】
以下、図面を参照して本発明を実施するための形態について説明する。下記、各図面において、同一構成部分には同一符号を付し、重複した説明を省略する場合がある。
【００１０】
＜ネットワークシステム＞
先ず、本発明の実施形態に係るプロジェクタに接続されるネットワークシステムについて説明する。図１は、本実施形態のプロジェクタと接続可能なネットワークシステム構成の一例である。
【００１１】
図１に示す第１実施形態に係る画像表示装置であるプロジェクタ１０は、無線ＬＡＮ（Local Area Network）機能を有している。このシステムでは、プロジェクタ１０には、無線ＬＡＮのネットワーク６０を介して、情報処理装置（端末）２０と、気象データサーバー３０と、１又は複数のWi-Fiアクセスポイント４０ａ，４０ｂ，４０ｃと位置データベースサーバー５０が接続されている。
【００１２】
プロジェクタ１０は、ネットワーク６０を介して接続された情報処理装置２０から、投影用の映像データを、スクリーンに適した画像で、被投影面であるスクリーンなどに投影表示する。
【００１３】
なお、プロジェクタ１０と情報処理装置２０とは、ネットワークを介さず、Ｄ−ＳＵＢ（D-subminiature）ケーブルやＨＤＭＩ（High-Definition Multimedia Interface）（登録商標）ケーブルなどの有線の映像ケーブルで接続されてもよい。あるいは、プロジェクタ１０と情報処理装置２０とは、近距離通信（Bluetooth（登録商標）など）によって接続されてもよい。
【００１４】
情報処理装置２０は、例えば、ノート型パーソナルコンピュータ、スマートフォンなどで構成される。情報処理装置２０は、上記のようにプロジェクタ１０と、ネットワーク６０を介して、有線で、又は近距離通信によって接続されている。情報処理装置２０は、プロジェクタ１０から投影するための投影用の映像データを作成し、その投影用の映像データをプロジェクタ１０へ送信する。
【００１５】
なお、本例では、プロジェクタ１０に投影用の映像データを送信する映像送信装置として、情報処理装置２０を例に挙げているが、この映像送信装置として、プロジェクタに設けられる接続端子（ＨＤＭＩやＶＧＡ（Video Graphics Array）等）に接続される、映像処理装置であるＡＶ(audio video)機器２１やデジタルカメラ等であってもよい。
【００１６】
また、本実施形態のプロジェクタ１０は、無線LANを介して、周囲のWi-Fiアクセスポイント４０ａ，４０ｂ，４０ｃから発信される電波であるビーコン信号を取得できる。ビーコン信号には、例えば、識別名であるSSID（Service Set Identifier）、機器の識別番号であるＭＡＣ（Media Access Control）アドレス、電波の強さなどの情報が含まれる。
【００１７】
そして、プロジェクタ１０は、電波を受信したWi-Fiアクセスポイント４０ａ，４０ｂ，４０ｃの位置情報を地図上の位置に対応付けた位置データベースサーバー５０にネットワーク６０を介してアクセスすることで、位置情報を取得する。
【００１８】
そしてプロジェクタ１０では、Wi-Fiアクセスポイント４０ａ，４０ｂ，４０ｃからの電波の強さを基に、Wi-Fiアクセスポイント４０ａ，４０ｂ，４０ｃからの距離を割り出すことで、プロジェクタ１０の現在の位置情報を推定できる。
【００１９】
気象データサーバー３０は、プロジェクタ１０とネットワーク６０を介して接続されており、プロジェクタ１０からの呼び出しに応じて、上記推定した位置情報を用いて、プロジェクタ１０が現在設置されている位置を含む地域の気象データを、プロジェクタ１０に送信する。
【００２０】
気象データサーバー３０は、例えば、気象に関する公的機関や、気象に関する会社のホームページ等の、気象データを取得可能なアクセス先であって、これらのアクセス先を予めプロジェクタ１０側に設定登録しておく。
【００２１】
＜第１実施形態のプロジェクタ＞    
図２は、本発明の第１実施形態に係るプロジェクタ１０の一例の構成図である。
【００２２】
プロジェクタ１０は、映像/音声端子１００、システム制御部１０１、音声処理部１０２、スピーカー１０３、映像処理部１０４、光学ユニット制御部１０５、光学ユニット１０６、光源制御部１０７、及び光源１０８を有する。更に、プロジェクタ１０は、電源制御部１０９、電源１１０、操作部１１１、リモコン受信部１１２、記憶部１１３、ファン制御部１１４、ファン１１５、通信部１１６、時刻計側部１１８及び表示部１２０を有する。
【００２３】
映像/音声端子１００は、外部の映像出力機器やコンピュータ等の電子機器との間で映像や音声等の各種情報を入出力するためのインターフェースである。映像/音声端子１００を介して、映像出力機器等の電子機器と接続されることで画像データや音声データを含む各種情報の入出力を行う。
【００２４】
映像/音声端子１００には、ＶＧＡ端子やＨＤＭＩ端子、ＵＳＢ（Universal Serial Bus）端子、ＲＣＡ端子（ピンジャック）等がある。
【００２５】
システム制御部１０１は、プロジェクタ１０を構成する他の各部を制御する。システム制御部１０１は、例えば、ＣＰＵ（Central Processing Unit）１０１１と、ＲＯＭ（Read Only Memory）１０１２と、ＲＡＭ（Random Access Memory）１０１３とにより実現される。システム制御部１０１は映像/音声端子１００から入力される信号の周波数や解像度等を解析・判定する。
【００２６】
ＣＰＵ１０１１は、ＲＯＭ１０１２やシステム制御部１０１に記憶された制御プログラム等の各種プログラムに従って、各種制御や機能を実現する演算装置である。
【００２７】
ＲＯＭ１０１２は、プロジェクタ１０で実行可能な制御プログラム等の各種プログラムや、これらの各種プログラムを実行する際に使用される各種データ、及びＣＰＵ１０１１の演算処理結果などを記憶する不揮発性の半導体メモリ（記憶装置）である。
【００２８】
ＲＡＭ１０１３は、ＣＰＵ１０１１によって実行される制御プログラム等の各種プログラムなどを展開するためのプログラム格納領域や、各種入出力データや各種プログラムの実行結果などを格納するデータ格納領域などを備える。ＲＡＭ１０１３は、例えば揮発性の半導体メモリ（記憶装置）である。
【００２９】
音声処理部１０２は、映像/音声端子１００を介して入力された音声データのうち、音量調整や音質調整等の処理を行う。音声処理部１０２は、入力された音声データに対して音量調整や音質調整等の処理を行った後、この処理後の音声データをスピーカー１０３や、外部スピーカーと接続される映像/音声端子１００（出力）に出力する。
【００３０】
スピーカー１０３は、音声処理部１０２から入力された音声データに従って、音声を出力する音声出力装置である。なお、スピーカー１０３は、プロジェクタ１０に内蔵されている内蔵型のスピーカーでもよいし、例えば音声出力ポートを介してケーブルやネットワークなどに接続される外部機器のスピーカーでもよい。
【００３１】
映像処理部１０４は、映像/音声端子１００を介して入力された画像データに対して、システム制御部１０１が適切に扱えるよう各種処理を行う。映像処理部１０４は、入力された画像データに対して各種処理を行った後、この処理後の画像データをＲＡＭ１０１３やバッファメモリ等に出力する。
【００３２】
そして、システム制御部１０１での映像処理を経て、表示部１２０へ画像が表示され、その画像が拡大されてスクリーンに投影される。
【００３３】
表示部１２０、光学ユニット１０６、及び光源１０８は、映像をスクリーンに投影する投影部として機能する。
【００３４】
光学ユニット制御部１０５は、光学ユニット１０６を制御して、映像処理部１０４からＲＡＭ１０１３やバッファメモリ等に出力された画像データに基づいて画像の投写を行う。光学ユニット１０６は、レンズ、ミラーなどの光学部品から構成されるユニット（部品）である。光源制御部１０７、システム制御部１０１からの指示に基づき、光源１０８の点灯や消灯などを制御する。光源１０８は、例えば水銀ランプなどである。
【００３５】
電源制御部１０９は電源１１０を制御する。電源１１０はプロジェクタ１０に電力を供給する。
【００３６】
操作部１１１は、使用者（設定者）からの各種操作入力を受け付け、システム制御部１０１を介して、操作入力に対応する機能を実現させる。操作部１１１は、例えばカーソルキーや文字／数字キー、各種機能キー等からの入力を受け付けることが可能である。
【００３７】
リモコン受信部１１２は例えば赤外線リモコン（指向性のある一方向通信）など遠隔からの各種操作入力を受け付け、システム制御部１０１を介して、操作入力に対応する機能を実現させる。リモコン受信部１１２は、例えば赤外線方式のリモコンからカーソルキーや文字／数字キー、各種機能の入力を受けつけることが可能である。
【００３８】
記憶部１１３は、例えばＥＥＰＲＯＭ（Electrically Erasable Programmable ROM）等の記憶手段としての不揮発性の半導体メモリ（記憶装置）である。記憶部１１３は、プロジェクタ１０が実行可能な制御プログラム等の各種プログラムやこれらの各種プログラムを実行する際に使用される各種データ等を記憶する。各種データとは、例えばプロジェクタ１０に設定された設定値などである。
【００３９】
なお、記憶部１１３は、例えばＨＤ（Hard Disk）や、ＨＤＤ(Hard Disk Drive)などの記憶装置であってもよい。また、記憶部１１３は、例えばプロジェクタ１０とネットワークを介して接続される外付け記憶装置であってもよい。
【００４０】
ファン制御部１１４は、冷却手段としてのファン１１５を制御する。ファン１１５は、本体もしくは部品を冷却したり、排熱したりするためのものである。
【００４１】
通信部１１６は、通信端子１１７を介してプロジェクタ外部の機器や端末と通信を行うための制御を行う。通信端子１１７は外部のコンピュータやプロジェクタ等の電子機器との間で制御信号等の各種情報を入出力するためのインターフェースである。
【００４２】
通信端子１１７には、有線ＬＡＮ端子や無線ＬＡＮ端子等がある。
【００４３】
時刻計測部１１８はＲＴＣ（Real Time Clock）と呼ばれる時計デバイスを指し、時刻だけでなく日付やタイムゾーン等が設定・記憶・計測ができる。
【００４４】
図示していないが、照度測定部等が搭載されてもよく、気象データに加えて、周囲の照度値によって、映像の画質が調整されてもよい。
【００４５】
（機能ブロック）
図３は、プロジェクタ１の画質調整設定に係る部分の機能ブロック図である。図３を用いて、本実施形態のプロジェクタの画質調整設定に係る機能について説明する。
【００４６】
図３に示すように、プロジェクタ１の制御部２００は、映像取得部２１０と、位置情報取得部２２０と、気象データ取得部２３０と、画質調整部２４０と、表示処理部２５０と、を有している。
【００４７】
なお、図３の制御部２００は、図２に示すシステム制御部１０１に対応しており、図２に示したハードウェア構成において、ＲＯＭ１０１２や、図２に示す記憶部１１３のＨＤＤ等の記録媒体に格納されたプログラムがＲＡＭ１０１３に読み出される。ＣＰＵ１０１１がＲＡＭ１０１３に読み出されたプログラムに従って演算を行うことにより、ソフトウェア制御部が構成される。このようにして構成されたソフトウェア制御部と、ハードウェアとの組み合わせによって、本実施形態に係るプロジェクタ１０の機能を実現する図３に示すような機能ブロックが構成される。
【００４８】
制御部２００は、通信部１１６や、光源制御部１０７に接続されている。
【００４９】
通信部１１６は無線ＬＡＮによるネットワーク６０経由で、図１に示すWi-Fiアクセスポイント４０ａ，４０ｂ，４０ｃ及び位置データベースサーバー５０を用いて位置情報信号を取得する。通信部１１６は、ネットワーク６０、有線、又は近距離通信によって接続された、情報処理装置２０やＡＶ機器２１から映像信号を取得する。さらに、通信部１１６はネットワーク６０によって接続された、外部サーバーである気象データサーバー３０等から気象データ信号を取得する。
【００５０】
映像取得部２１０は、情報処理装置２０やＡＶ機器２１等から、通信部１１６を介して、又は、有線で接続された図２に示す映像/音声端子１００を介して、取得した映像信号を、映像データとして読み込んで取得する。
【００５１】
位置情報取得部２２０は、通信部１１６を介して取得した位置情報信号から、プロジェクタ１０の設置位置を示す位置情報を算出して取得する。
【００５２】
気象データ取得部２３０は、通信部１１６を介して取得した気象データ信号から、プロジェクタ１０の位置情報に対応付けられた気象データを適宜選択して取得する。
【００５３】
画質調整部２４０は、取得した位置情報、及び該位置情報に対応付けられた気象データを基に、取得した画像データを調整するための画像調整値を設定する。
【００５４】
画質調整部２４０は、画像調整値割当て設定部２４１と、設定変更有無判定部２４２と、画像調整値設定変更指定部２４３と、補正テーブル記憶部２４４と、前回画像調整値記憶部２４５と、を実現可能に有している。
【００５５】
補正テーブル記憶部（記憶部）２４４は、予め、気象データと、画像調整値とを対応付けて補正テーブルとして記憶しておく。
【００５６】
画像調整値と対応付けられる気象データは、例えば日照時刻、天気、又は日照時刻及び天気である例を下記説明するが、それ以外の天気データと画像調整値とを対応づけてもよい。そのため、気象データと画像調整値とが対応付けられた補正テーブルとして、（α）日照時刻テーブル、（β）天気テーブル、（γ）日照時刻・天気テーブルを格納することになる。
【００５７】
画像調整値割当て部２４１は、取得した位置情報に対応付けられた気象データと、補正テーブル記憶部２４４で記憶された補正テーブルとを参照して、必要な画像調整値を割り当てる。
【００５８】
画像調整値設定変更指定部２４３は、時刻計測部（時計デバイス）１１８（図２参照）からの時刻情報を取得して、時刻計測部１１８により取得した現在の時刻が含まれる時間帯の画像調整値を選択して、表示処理部２５０に出力する。
【００５９】
この際、画像調整値設定変更指定部２４３は、出力した画像調整値を、前回画像調整値記憶部２４５に記憶しておく。
【００６０】
例えば、気象データに画像調整機能を２回目以降に利用するとき、設定変更有無判定部２４２は、前回画像調整値記憶部２４５に記憶された画像調整値を呼び出し、今回使用する画像調整値と同じか異なるかを判定する。そして、異なる場合のみ画像調整値を変更するように、画像調整値設定変更指定部２４３に、画像調整値の変更を指定させる。
【００６１】
画像調整値設定変更指定部２４３によって出力される画像調整値には、例えば、色温度情報と、照度情報等が含まれている。
【００６２】
表示処理部２５０は、色温度調整部２５１と、画像最適化部２５２とを実行可能に有している。表示処理部２５０は、映像/音声端子１００又は通信部１１６から入力される映像信号の解像度等を解析・判定しることで、表示部１２０に表示される画像を処理する。
【００６３】
色温度調整部（例えば、色温度ＩＣ）２５１では、画質調整部２４０から取得した画質調整値の色温度情報に応じて、映像取得部２１０から取得した映像データに対して、色温度を補正する。色温度調整部は、例えば、色温度ＩＣによって色温度を一括して調整制御するように構成されてもよいし、映像データ内の各画素の色味（ＲＧＢ）や、コントラスト、ガンマ、色合い等を夫々色温度に対応付けて制御してもよい。
【００６４】
画像最適化部２５２は、色温度が補正された映像データに対して、出力画素数のアスペクト比に対して、スクリーン上に投影される画像が最適な表示になるように自動でスケーリング（大きさ調整）を行う。
【００６５】
光源制御部１０７は、光源１０８（図２参照）の光量を制御するものであって、照度調整部１７１を有している。
【００６６】
光源制御部１０７の照度調整部１７１は、画質調整部２４０から取得した画質調整値に含まれる照度情報に応じて、光源１０８の光量を調整する。この際、照度センサー（不図示）等から周囲の照度情報の取得した結果も考慮して、光源１０８の光量を調整してもよい。
【００６７】
［フロー］
次に、図１〜図５を用いて、本実施形態に係る画質調整の設定方法について説明する。図４は、第１実施形態に係る気象データの画質調整への反映のフローチャートである。
【００６８】
図４において、まず、ステップ（以下単にＳと称す）Ｓ１で、映像処理装置（情報処理装置２０又はＡＶ機器２１）から画像データを取得する。
【００６９】
そして、Ｓ２で、プロジェクタ１０の位置情報を取得する。
【００７０】
本実施形態において、位置情報は、プロジェクタ１０を、図１に示すWi-Fiアクセスポイント４０ａ〜４０ｃと、位置データベースサーバー５０と接続することによって、取得する。
【００７１】
ただし、図２の構成を用いて、利用者に事前に位置情報を登録させておいてもよい。利用者に事前に位置情報を登録させる場合は、予め地図情報を記憶させておき、利用者がリモコンや、操作部１１１を操作することで入力してもよい。
【００７２】
あるいは、情報処理装置２０やＡＶ機器３０等から投影用の映像データを送信するときに一緒に位置情報を送付してもよい。
【００７３】
Ｓ３で、Ｓ２で取得した位置情報に対応付けられた気象データを取得する。
【００７４】
取得した情報をもとに、プロジェクタ１０付近の気象データから現在の画質調整値と記憶された補正テーブルとの比較を行い、画質調整の設定変更が必要かどうかの判定を行う（Ｓ４）。
【００７５】
詳しくは、画像調整値割当て部２４１が、Ｓ２，Ｓ３で取得した位置情報と気象データと、補正テーブル記憶部２４４で記憶された補正テーブルとを参照して、必要な画像調整値を割り当てる。そして、設定変更有無判定部２４２が、今回割り当てられた画像調整値と、前回画像調整値記憶部２４５に記憶されている前回使用した画像調整値とを比較し、同じか異なるかを判定する。
【００７６】
前回使用した画像調整値と異なる場合は、設定変更が必要であるとして（Ｓ４でＹｅｓ）、画質調整部２４０はプロジェクタ１０の設定を変更して、表示処理部２５０で表示する画像の色温度を調整する（Ｓ５）。
【００７７】
なお、Ｓ５の画質調整で、スクリーンやプロジェクタ１０に配置した照度センサー等他の情報を参照してもよい。
【００７８】
設定変更が不要な場合は、（Ｓ４でＮｏ）、位置情報及び気象データに基づいた、画質調整は実行せず、フローを終了する。
【００７９】
図４で示すこれら一連の処理フローは、プロジェクタ１０の起動時や映像投影時、等の任意のタイミングで処理を行う。あるいは一定間隔毎に処理を行ったり、加速度センサー等でプロジェクタの移動を検知したりした場合などに行っても良く、この限りではない。
【００８０】
＜調整例１＞
ここで、図４のＳ３で取得する気象データが（Ａ）日照時刻である例を説明する。
【００８１】
日照時刻を気象データとして取得することで、プロジェクタ１０はその地点での日の出/日の入り時刻を知ることができ、色味が変わりやすい時間を知ることができる。
【００８２】
例えば時刻が同じ18:00だったとしても日の入り時刻が19:00の場所と17:00の場所では、赤みがかりやすい時刻が違うため、日の入り時刻より前の3時間は色温度を高くする、といった処理が可能になる。時刻や季節だけではこれらの調整を行うことができない。
【００８３】
気象データとして、日照時刻を取得した場合は、Ｓ４の画像調整の実行可否の判断や、画像調整の実行には図３の（α）日照時刻テーブルを用いる。
【００８４】
ここで、図５に一般的な各気象条件における色温度の例示する色温度分布チャートを示す。
【００８５】
図５に示すように、自然光である太陽光では、晴天では、日中は色温度が高く青に近く、夕方は色温度が低く赤に近い。太陽高度が下がると光が眼に届くまでに通過してくる空気層が長くなるため、光はより多くの散乱を受ける。この大気の散乱は青い短波長側ほど大きいので、青成分が散逸し赤成分が残るためである。
【００８６】
また、太陽高度が下がったとき上記空気層の長さにより、太陽光では、水平線に近づくほどエネルギー（輝度）が小さく、暗くなる。
【００８７】
また、曇りの日中の空は約6500K［ケルビン］であって、ほぼ白色であって、本実施形態の本調整例では、色温度の基準色として設定している。
【００８８】
また、昼光の平均の明るさは、雨天〜曇天〜晴天に渡っておよそ1,000lx［ルクス］〜10,000lxと変化する。
【００８９】
上記現象を考慮して、図４のステップＳ５での画質調整において、画質調整値として使用される日照時間に対応付けられた補正テーブルである、図３の（α）日照時刻テーブルの例を表１に示す。
【００９０】
【表１】
2018157444.tif 000003
表１に示すように、自然光の色温度が高いときを基準として、夕方の色温度が低いときに、プロジェクタによって表示される映像で色温度が基準色（6500K）よりも高くなるように設定されている。
【００９１】
また、夜間になると、周囲の建物の照明や装飾等で明るくなるため、明るさを上げるように設定する。
【００９２】
表１で示す補正テーブルでは一例であり、条件部分を更に詳細にしてもよく、画質調整の調整項目に関しても、少なくとも画像の色を変更するものであれば、他の調整項目に置き換えたり追加したりしても良く、この限りではない。
【００９３】
このように本調整例では、日照時刻情報と、時刻情報と、位置情報とを取得して色調整を行うため、位置による日の出/日の入りの時刻を基準とした色温度の調整が可能である。このため、例えば夕焼けの赤みがかった環境光など、周囲の色温度が変化する場合でも、適切な画質調整を行うことができる。
【００９４】
また、調整例として画質調整を挙げているが、これに限らず、日照時刻情報と、時刻情報と、位置情報とを参照して、画像表示装置の別の制御を行ってもよい。例えば、プロジェクタによる映像投影を連続して一日中投影する広告等に使用するケースであって、複数の映像信号が該プロジェクタに入力されている場合、気象データや時間帯に合わせた、画像を選択して、時間帯や天気に合わせて画像を表示してもよい。あるいは、特定の期間のみ、映像を投影してもよい。
【００９５】
また、上記周囲の変化に応じた画質調整例である調整例１では、気象データとして、日照時刻を取得したが、取得する気象データはこれに限られない。
【００９６】
＜調整例２＞
次に、図４の画像調整設定のフローチャートのステップＳ３で取得する気象データが（Ｂ）天気（天候）である例を説明する。
【００９７】
図４のステップＳ５での画質調整において、画質調整値として使用される天気に対応付けられた補正テーブルである（β）天気テーブルの例を表２に示す。なお、表２は一例であって天候の分類を更に詳細にしてもよく、画質調整項目に関しても、少なくとも画像の色を変更するものであれば、他の調整項目に置き換えたり追加したりしても良く、この限りではない。
【００９８】
【表２】
2018157444.tif 000004
上記表２で示したように、曇天や、雨天の場合は大気中の水滴に遮られて、色温度の変化が小さいが、晴天の場合は、日の出、日の入りの際は、色温度が大きく変化する。
【００９９】
そのため、表２に示すように、晴天の場合は、日の出、日の入りでの色温度の低下に予め対応するように高い色温度に設定し、曇天、雨天の場合は、基準の色温度に設定する。
【０１００】
また、曇天、雨天の場合は、日中において晴天時よりも暗いため、表示する映像の明るさを上げる。
【０１０１】
このように本調整例では、天気と、位置情報とを取得して色調整を行うため、位置による天気を基準とした色温度の調整が可能である。このため、例えば夕焼けの赤みがかった環境光など、周囲の色温度が変化する可能性のある、晴天の場合に限定して、適切な画質調整を行い、色変化が起こりづらい曇天や雨天では色温度の調整を実行しないことができる。これにより、曇天や雨天での、過剰な色温度の調整を防ぐことができる。
【０１０２】
また、調整例１では、気象データとして日照時刻を取得し、調整例２では、天気情報を取得したが、取得する気象データは複数の種類を組み合わせてもよい。
【０１０３】
＜調整例３＞
次に、図４の画像調整設定のフローチャートのステップＳ３で取得する気象データが（Ｃ）日照時刻及び天気の２種類である例を説明する。
【０１０４】
図４のステップＳ５での画質調整において、画質調整値として使用される日照時間及び天気に対応付けられた補正テーブルである（γ）日照時刻・天気補正テーブルの例を表３に示す。表３で示した補正テーブルは一例であり、条件部分を更に詳細にしてもよく、画質調整項目に関しても、少なくとも画像の色を変更するものであれば、他の調整項目に置き換えたり追加したりしても良く、この限りではない。
【０１０５】
【表３】
2018157444.tif 000005
表３に示すように、本調整例では、日照時刻情報と、天気情報と、時刻情報と、位置情報とを取得して色調整を行うため、位置による日の出/日の入りの時刻を基準とした色温度の調整が可能である。
【０１０６】
さらに、位置による天気情報が晴れの場合にのみ、日の出/日の入り時刻での夕焼けによる色温度が変化に対して、適切な画質調整を行い、色温度の変化が少ない、曇天や雨天では、上記処理を行わないことができる。
【０１０７】
これにより、本調整例では、より精度を向上することができる。また、天気が急変する場合は、表示している映像を、天気に適した色温度を即座に切り替えることができる。
【０１０８】
＜第２実施形態＞
図６は第２実施形態に係るプロジェクタ１０Ａの一例の構成図である。
【０１０９】
本実施形態では、図２に示す第１実施形態の構成と比較して、撮像部１１９が設けられている点が異なる。
【０１１０】
撮像部（撮影手段）１１９はプロジェクタ１０Ａの周辺やスクリーンの周辺を撮像する。撮影された画像はシステム制御部１０１にて処理され、周囲に窓が存在するかどうかを検出する。
【０１１１】
（機能ブロック）
図７は、第２実施形態に係る画像表示装置の画像調整設定に係る部分の機能ブロック図である。
【０１１２】
本実施形態では、制御部２００Ａ内に、図３で示す機能に加えて、さらに、設置場所判定部２６０を備えている。
【０１１３】
設置場所判定部２６０は、屋外屋内判定部２６１と、周辺画像取得部２６２と、窓有無判定部２６３と、を有している。屋外屋内判定部２６１及び窓有無判定部２６３は状況判断部として機能する。
【０１１４】
［フロー］
次に、図６〜図８を用いて、本実施形態に係る画質調整の方法について説明する。図８は、第２実施形態に係る画質調整設定のフローチャートである。
【０１１５】
図８において、ステップＳ１０１でまず、図４同様に、画像を取得する
そして、Ｓ１０２で、プロジェクタ１０Ａが設置されている場所が屋外かどうかを判断する。詳しくは、屋外屋内判定部２６１は、取得した位置情報を基に、取得した位置情報が建物の位置情報と重なっているかどうかを判断し、プロジェクタ１０Ａが設置されている場所（載置場所）が屋外かどうかを判断する。
【０１１６】
屋外と判断した場合は（Ｓ１０３でＹｅｓ）、Ｓ１０５以降の画像調整処理を行う。処理内容は第１実施形態と同様である。
【０１１７】
プロジェクタ１０Ａの設置場所が屋内であった場合（Ｓ１０３でＮｏ）、Ｓ１０４で、プロジェクタ１０Ａの周囲に窓が設置されているかどうか判断する。詳しくは、窓有無判定部２６３は、撮像部１１９で撮影され周辺画像取得部２６２で画像処理された、撮影画像の情報を元に周囲に窓が設置されているかどうかを判断する。
【０１１８】
なお、図８では、撮像及び窓の存在確認（Ｓ１０４）は位置情報の取得後屋内であることが確認されてから（Ｓ１０２、Ｓ１０３の後）、行う例を示しているが、プロジェクタ１０Ａ周辺の撮像及び窓の存在確認は事前に実施しておいても良い。
【０１１９】
周囲に窓が設置されている場合（Ｓ１０４でＹｅｓ）、外光の影響を受ける可能性が高いため、Ｓ１０５以降の画質調整処理を行う。Ｓ１０５〜Ｓ１０７は、図４のフローのＳ３〜Ｓ５と同様の処理を行う。
【０１２０】
周囲に窓が設置されていない場合（Ｓ１０４でＮｏ）、外光による画質調整は不要なため画質調整を行わずに終了する（ＥＮＤ）。
【０１２１】
本実施形態では、屋内／屋外を判断し、屋内の場合には外光の影響を受ける設置状態かどうかを判断し、屋内の場合に外光の影響を受ける場合にのみ処理を行うことができるため不要な画質調整を回避することができる。
【０１２２】
また外光の位置が偏っている場合は、例えば、室内で窓に対して略垂直に配置される場合などは、部分的に、あるいは段階的に色温度を変化させるように、画質調整を行ってもよい。この調整により、さらに視認性を向上させることができる。
【０１２３】
＜第３実施形態＞
図９は、第３実施形態に係るプロジェクタ１０Ｂの一例の構成図である。
【０１２４】
本実施形態は、プロジェクタ１０Ａは、GPS（Global Positioning System）受信部１２１を備えている。その他の構成は同様である。
【０１２５】
本実施形態では、プロジェクタ１０Ａの位置情報を取得するため、Wi-Fiアクセスポイント及び位置データベースサーバー５０を用いるのではなく、GPS受信部１２１により主体的に位置を検出している。
【０１２６】
詳しくは、GPS受信部１２１は、地球の上空の複数の人工衛星（GPS衛星）からの電波を受信して、現在地と複数の衛星との距離を、それぞれ電波を用いて測定することにより、位置を特定する。
【０１２７】
本実施形態では、ネットワーク６０を介さず、GPS受信部１２１により主体的に位置を検出するので、プロジェクタ１０Ａの設置位置の位置情報を、より正確に、より迅速に取得できる。
【０１２８】
また、さらに位置情報検出の精度を向上させるため、第１実施形態で適用したWi-Fiアクセスポイント及び位置データベースサーバー５０による位置測定と、第３実施形態で適用したGPS受信部１２１を用いた位置測定とを組み合わせてもよい。
【０１２９】
上記のいずれの実施形態においても、時刻情報や位置情報、ネットワーク経由で取得する情報（天候情報など）を元に、映像調整に関わるパラメータを制御するので、照度以外の画質変化要因に適した画質調整を行うことができる。
【０１３０】
以上、各実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【符号の説明】
【０１３１】
１０，１０Ａ，１０Ｂ  プロジェクタ（画像表示装置）
２０  情報処理装置（映像処理装置）
２１  ＡＶ機器（映像処理装置）
３０  気象データサーバー
４０ａ，４０ｂ，４０ｃ  Wi-Fiアクセスポイント
５０  位置データベースサーバー
６０  ネットワーク
１０６  光学ユニット（投影部）
１０７  光源制御部
１０８  光源（投影部）
１１８  時刻計測部（時計デバイス）
１１９  撮像部（撮影手段）
１２０  表示部（投影部）
１２１  GPS受信部
２００  制御部
２１０  映像取得部
２２０  位置情報取得部
２３０  気象データ取得部
２４０  画質調整部
２４１  画像調整値割当て設定部
２４２  設定変更有無判定部
２４３  画像調整値設定変更指定部
２４４  補正テーブル記憶部（記憶部）
２４５  前回画像調整値記憶部
２５０  表示処理部
２５１  色温度調整部
２５２  画像最適化部
２６０  設置場所判定部
２６１  屋外屋内判定部
２６２  周辺画像取得部
２６３  窓有無判定部
【先行技術文献】
【特許文献】
【０１３２】
【特許文献１】特開２０１１‐０６９９４１号公報
【図１】
2018157444.tif 000006
【図２】
2018157444.tif 000007
【図３】
2018157444.tif 000008
【図４】
2018157444.tif 000009
【図５】
2018157444.tif 000010
【図６】
2018157444.tif 000011
【図７】
2018157444.tif 000012
【図８】
2018157444.tif 000013
【図９】
2018157444.tif 000014